(57)【要約】【課題】硝酸イオンや亜硝酸イオンを含む低有機物濃度排水や、無機凝集剤として鉄系凝集剤を用いる低有機物濃度排水の凝集沈殿処理におけるフロックの浮上や処理水の着色を防止して安定した凝集沈降効果で高水質の処理水を得る。【解決手段】ＣＯＤ１０００ｍｇ／Ｌ以下かつＢＯＤ２００ｍｇ／Ｌ以下の低有機物濃度排水を凝集沈殿処理する方法において、該低有機物濃度排水に、亜塩素酸(塩)を２００ｍｇ／Ｌ以下添加して凝集沈殿処理する。亜塩素酸(塩)を添加することにより、汚泥中の脱窒菌の活性を抑え、沈殿槽での窒素ガスの発生を抑制して汚泥の浮上、流出による処理水ＳＳの悪化を防止することができる。また、汚泥の腐敗を抑制して鉄系凝集剤の還元による処理水の着色を防止して、清澄な処理水を安定に得ることができる。【選択図】図１
2010162493.tif 000002
【特許請求の範囲】
【請求項１】
ＣＯＤ１０００ｍｇ／Ｌ以下かつＢＯＤ２００ｍｇ／Ｌ以下の低有機物濃度排水を凝集沈殿処理する方法において、該低有機物濃度排水に、亜塩素酸及び／又はその塩を有効成分量として２００ｍｇ／Ｌ以下添加して凝集沈殿処理することを特徴とする低有機物濃度排水の凝集沈殿処理方法。
【請求項２】
請求項１において、前記低有機物濃度排水が硝酸イオン及び／又は亜硝酸イオンを５ｍｇ／Ｌ以上含むことを特徴とする低有機物濃度排水の凝集沈殿処理方法。
【請求項３】
請求項１又は２において、前記低有機物濃度排水に鉄系無機凝集剤を添加して凝集処理することを特徴とする低有機物濃度排水の凝集沈殿処理方法。
【請求項４】
請求項１ないし３のいずれか１項において、前記低有機物濃度排水に無機凝集剤を添加して凝集処理する第１の凝集処理工程と、該第１の凝集処理工程の処理水に有機高分子凝集剤を添加して凝集処理する第２の凝集処理工程と、該第２の凝集処理工程の処理水を沈殿処理する固液分離工程とを有し、
前記亜塩素酸及び／又はその塩が、該第１の凝集処理工程及び／又は第２の凝集処理工程で添加されることを特徴とする低有機物濃度排水の凝集沈殿処理方法。
【請求項５】
ＣＯＤ１０００ｍｇ／Ｌ以下かつＢＯＤ２００ｍｇ／Ｌ以下の低有機物濃度排水を凝集沈殿処理する装置において、凝集沈殿処理される該低有機物濃度排水に、亜塩素酸及び／又はその塩を有効成分量として２００ｍｇ／Ｌ以下添加する薬注手段を有することを特徴とする低有機物濃度排水の凝集沈殿処理装置。
【請求項６】
請求項５において、前記低有機物濃度排水が硝酸イオン及び／又は亜硝酸イオンを５ｍｇ／Ｌ以上含むことを特徴とする低有機物濃度排水の凝集沈殿処理装置。
【請求項７】
請求項５又は６において、前記低有機物濃度排水に鉄系無機凝集剤を添加して凝集処理することを特徴とする低有機物濃度排水の凝集沈殿処理装置。
【請求項８】
請求項５ないし７のいずれか１項において、前記低有機物濃度排水に無機凝集剤を添加して凝集処理する第１の凝集処理槽と、該第１の凝集処理槽の流出液に有機高分子凝集剤を添加して凝集処理する第２の凝集処理槽と、該第２の凝集処理槽の流出液を沈殿処理する沈殿槽とを有し、
前記薬注手段が、該第１の凝集処理槽及び／又は第２の凝集処理槽に設けられていることを特徴とする低有機物濃度排水の凝集沈殿処理装置。
【発明の詳細な説明】
【技術分野】
【０００１】
本発明は、ＣＯＤ（化学的酸素要求量）１０００ｍｇ／Ｌ以下かつＢＯＤ（生物化学的酸素要求量）２００ｍｇ／Ｌ以下の低有機物濃度排水を凝集沈殿処理する方法及び装置に係り、特にこの低有機物濃度排水の凝集沈殿処理における汚泥中の脱窒素菌を抑制すると共に腐敗を抑制して、安定した凝集沈降効果で良好な水質の処理水を得る方法及び装置に関する。
【背景技術】
【０００２】
従来、各種排水の凝集沈殿処理は、一般に排水に無機凝集剤を添加して急速攪拌することにより凝集処理した後、有機高分子凝集剤を添加して緩速攪拌し、その後沈殿槽で固液分離することにより行われている。無機凝集剤としては、鉄塩やアルミニウム塩が用いられ、無機凝集剤は排水中の懸濁物質、コロイダル成分や有機物質を凝集、凝結するために用いられる。有機高分子凝集剤は、無機凝集剤で凝結させた粒子を粗大化するための凝集補助剤として用いられる。
【０００３】
しかし、このような従来の凝集沈殿処理法で、硝酸イオンや亜硝酸イオンを含む排水を処理すると、汚泥の浮上現象が発生し、沈殿槽で凝集フロックの一部または多くが浮上して処理水中に流出する。この結果、処理水の水質が悪化して処理水基準を満たさなくなる場合がある。また、後段に濾過器がある場合には、この濾過器の目詰まりが頻発するようになる。
【０００４】
また、排水の種類にかかわらず、無機凝集剤として鉄系凝集剤を用いている場合には、休日の運転停止時後、休日明けの運転立ち上げ時に、処理水が着色（黄濁化）して一時的ではあるが水質が低下する。
【０００５】
特許文献１には、汚泥の濃縮処理に当たり、汚泥の腐敗防止を目的として亜塩素酸又はその塩を添加することが提案されているが、低有機物濃度排水の凝集沈殿処理についての上記問題を解決するものではない。また、特許文献２には、動物し尿や焼酎廃水のような、通常の凝集処理が困難な濃厚廃水に対して、亜塩素酸ナトリウム等の酸化処理剤を高濃度に添加して臭気を低減すると共に凝集剤による凝集処理を可能とする方法が提案されているが、低有機物濃度排水における上記問題を解決するものではない。
【先行技術文献】
【特許文献】
【０００６】
【特許文献１】特公平７−７３７２０号公報
【特許文献２】特開２００１−２０５２７３号公報
【発明の概要】
【発明が解決しようとする課題】
【０００７】
本発明は、硝酸イオンや亜硝酸イオンを含む低有機物濃度排水や、無機凝集剤として鉄系凝集剤を用いる低有機物濃度排水の凝集沈殿処理における前述の問題を解決して、安定した凝集沈降効果で高水質の処理水を得る方法及び装置を提供することを目的とする。
【課題を解決するための手段】
【０００８】
本発明（請求項１）の低有機物濃度排水の凝集沈殿処理方法は、ＣＯＤ１０００ｍｇ／Ｌ以下かつＢＯＤ２００ｍｇ／Ｌ以下の低有機物濃度排水を凝集沈殿処理する方法において、該低有機物濃度排水に、亜塩素酸及び／又はその塩を有効成分量として２００ｍｇ／Ｌ以下添加して凝集沈殿処理することを特徴とする。
【０００９】
請求項２の低有機物濃度排水の凝集沈殿処理方法は、請求項１において、前記低有機物濃度排水が硝酸イオン及び／又は亜硝酸イオンを５ｍｇ／Ｌ以上含むことを特徴とする。
【００１０】
請求項３の低有機物濃度排水の凝集沈殿処理方法は、請求項１又は２において、前記低有機物濃度排水に鉄系無機凝集剤を添加して凝集処理することを特徴とする。
【００１１】
請求項４の低有機物濃度排水の凝集沈殿処理方法は、請求項１ないし３のいずれか１項において、前記低有機物濃度排水に無機凝集剤を添加して凝集処理する第１の凝集処理工程と、該第１の凝集処理工程の処理水に有機高分子凝集剤を添加して凝集処理する第２の凝集処理工程と、該第２の凝集処理工程の処理水を沈殿処理する固液分離工程とを有し、前記亜塩素酸及び／又はその塩が、該第１の凝集処理工程及び／又は第２の凝集処理工程で添加されることを特徴とする。
【００１２】
本発明（請求項５）の低有機物濃度排水の凝集沈殿処理装置は、ＣＯＤ１０００ｍｇ／Ｌ以下かつＢＯＤ２００ｍｇ／Ｌ以下の低有機物濃度排水を凝集沈殿処理する装置において、凝集沈殿処理される該低有機物濃度排水に、亜塩素酸及び／又はその塩を有効成分量として２００ｍｇ／Ｌ以下添加する薬注手段を有することを特徴とする。
【００１３】
請求項６の低有機物濃度排水の凝集沈殿処理装置は、請求項５において、前記低有機物濃度排水が硝酸イオン及び／又は亜硝酸イオンを５ｍｇ／Ｌ以上含むことを特徴とする。
【００１４】
請求項７の低有機物濃度排水の凝集沈殿処理装置は、請求項５又は６において、前記低有機物濃度排水に鉄系無機凝集剤を添加して凝集処理することを特徴とする。
【００１５】
請求項８の低有機物濃度排水の凝集沈殿処理装置は、請求項５ないし７のいずれか１項において、前記低有機物濃度排水に無機凝集剤を添加して凝集処理する第１の凝集処理槽と、該第１の凝集処理槽の流出液に有機高分子凝集剤を添加して凝集処理する第２の凝集処理槽と、該第２の凝集処理槽の流出液を沈殿処理する沈殿槽とを有し、前記薬注手段が、該第１の凝集処理槽及び／又は第２の凝集処理槽に設けられていることを特徴とする。
【発明の効果】
【００１６】
本発明によれば、低有機物濃度排水の凝集沈殿処理に当たり、排水に亜塩素酸及び／又はその塩（以下「亜塩素酸（塩）」と称す場合がある。）を添加することにより、沈殿槽における汚泥の浮上及び流出を防止して、高水質の処理水を安定に得ることが可能となる。
【００１７】
即ち、従来法により硝酸イオン及び／又は亜硝酸イオンを含む排水を凝集沈殿処理する際に起こる汚泥の浮上、流出は、沈殿槽内で沈殿汚泥が堆積して嫌気状態になり腐敗現象が生じると、排水中に硝酸イオン及び／又は亜硝酸イオンが含まれているために脱窒菌による脱窒反応が生じ、この結果、窒素ガスが発生し、発生した窒素ガスが凝集フロックや沈殿汚泥に付着して浮上することによる。
【００１８】
本発明によれば、排水に亜塩素酸(塩)を添加することにより、汚泥中の脱窒菌の活性を抑え、沈殿槽での窒素ガスの発生を抑制して汚泥の浮上を防止することができる。このため、浮上汚泥の流出による処理水ＳＳの悪化を防止することができる。
【００１９】
また、鉄系凝集剤を用いる場合の処理水の着色も、亜塩素酸(塩)の添加で有効に防止される。即ち、この鉄系凝集剤を用いる場合の処理水の着色は、休日などで沈殿槽内で長時間沈殿汚泥が堆積すると、堆積汚泥の腐敗で嫌気・還元状態となる結果、鉄系凝集剤の３価の鉄が２価に還元され、一部の鉄が溶出して処理水が黄濁化する現象によるものである。
【００２０】
本発明によれば、亜塩素酸(塩)の添加で沈殿槽内の汚泥の腐敗を抑制して鉄系凝集剤の還元による処理水の着色を防止して、清澄な処理水を安定に得ることができる。
【図面の簡単な説明】
【００２１】
【図１】本発明の低有機物濃度排水の凝集沈殿処理方法及び装置の実施の形態を示す系統図である。
【発明を実施するための形態】
【００２２】
以下に図面を参照して本発明の低有機物濃度排水の凝集沈殿処理方法及び装置の実施の形態を詳細に説明する。
【００２３】
図１は本発明の低有機物濃度排水の凝集沈殿処理方法及び装置の実施の形態を示す系統図である。
【００２４】
図１の実施形態では、低有機物濃度排水（以下「原水」と称す場合がある。）を第１凝集反応槽１に導入して無機凝集剤を添加して急速攪拌することにより凝集処理し、第１凝集反応槽１の流出水に第２凝集反応槽２で有機高分子凝集剤を添加して緩速攪拌することにより凝集フロックを粗大化させ、第２凝集反応槽２の流出水を凝集沈殿槽３で沈降分離し、上澄水を処理水として取り出す。
【００２５】
＜原水＞
本発明において処理対象とする原水は、ＣＯＤ１０００ｍｇ／Ｌ以下かつＢＯＤ２００ｍｇ／Ｌ以下の低有機物濃度排水である。
【００２６】
即ち、本発明は、従来、亜塩素酸（塩）の適用が全く検討されていなかった、このような低有機物濃度排水を処理対象排水とすることを特徴とする。
【００２７】
原水のＣＯＤ，ＢＯＤの下限については特に制限はないが、通常、本発明で処理対象とする排水は、ＣＯＤ１００〜１０００ｍｇ／Ｌ、ＢＯＤ２０〜２００ｍｇ／Ｌ程度の自動車部品工場の塗装排水、電着排水、メッキ排水等である。
【００２８】
なお、本発明は特に、硝酸イオンや亜硝酸イオンを５ｍｇ／Ｌ以上、例えば５〜２００ｍｇ／Ｌ程度含む排水において、前述の脱窒菌の抑制効果で汚泥の浮上を防止するという効果において有効である。
【００２９】
ただし、本発明の処理対象原水は、何ら硝酸イオンや亜硝酸イオンを含むものに限定されるものではない。
【００３０】
＜亜塩素酸（塩）＞
原水に添加する亜塩素酸（塩）としては、亜塩素酸、亜塩素酸ナトリウム、亜塩素酸カリウム等の亜塩素酸のアルカリ金属塩等の亜塩素酸塩を用いることができる。これらの亜塩素酸（塩）は１種を単独で用いても良く、２種以上を混合して用いても良い。
【００３１】
原水への亜塩素酸（塩）の添加量は、原水の水質や用いる凝集剤の種類や凝集沈殿方式等によっても異なるが、原水に対して２００ｍｇ／Ｌ以下であり、好ましくは２０〜１８０ｍｇ／Ｌ、特に５０〜１５０ｍｇ／Ｌである。
【００３２】
即ち、本発明は前述のような低有機物濃度排水を処理対象とし、その目的は、沈殿槽における脱窒菌の抑制や汚泥の腐敗に起因する鉄系凝集剤の還元防止であるため、亜塩素酸（塩）の添加量は２００ｍｇ／Ｌ以下で足り、亜塩素酸（塩）を必要以上に添加することは、残留亜塩素酸（塩）の処理のための還元剤を多量に必要として好ましくない。ただし、亜塩素酸（塩）の添加量が少な過ぎると、亜塩素酸（塩）を添加することによる本発明の効果を十分に得ることができないため、上記添加量の範囲とすることが好ましい。
【００３３】
亜塩素酸（塩）の添加箇所は、原水の水質や凝集沈殿処理方式によっても異なるが、沈殿処理される前の原水に亜塩素酸（塩）が添加されることが好ましく、亜塩素酸（塩）の添加箇所としては、例えば、図１において、第１凝集反応槽１に導入される原水（添加箇所Ａ）、第１凝集反応槽１内（添加箇所Ｂ）、第１凝集反応槽１の流出水（添加箇所Ｃ）、第２凝集反応槽２（添加箇所Ｄ）、第２凝集反応槽２の流出水（添加箇所Ｅ）が挙げられる。
【００３４】
なお、亜塩素酸（塩）は２以上の複数箇所で添加しても良い。２以上の複数箇所で亜塩素酸（塩）を添加する場合は、合計の添加量が前述の亜塩素酸（塩）の添加量となるようにする。
【００３５】
これらのうち、亜塩素酸（塩）は、特に第１凝集反応槽１に添加することが反応時間の確保により、亜塩素酸（塩）の添加効果を有効に得ることができ、好ましい。
【００３６】
なお、亜塩素酸（塩）を第１凝集反応槽１に添加した場合、第１凝集反応槽１の流出液の残留塩素濃度は５〜５０ｍｇ／Ｌ程度、第２凝集反応槽２の流出液の残留塩素濃度は２〜２０ｍｇ／Ｌ程度、凝集沈殿槽３の流出液（凝集沈殿槽３の上澄水）の残留塩素濃度は１〜１０ｍｇ／Ｌ程度となるように亜塩素酸（塩）添加量を調整することが、亜塩素酸（塩）の添加効果を有効に得る上で好ましい。
【００３７】
＜無機凝集剤＞
第１凝集反応槽１に添加する無機凝集剤としては、特に制限はなく、従来、排水の凝集沈殿処理に用いられている無機凝集剤をいずれも用いることができる。
【００３８】
具体的には、硫酸第一鉄、硫酸第二鉄、塩化第一鉄、塩化第二鉄、ポリ硫酸第二鉄等の鉄系凝集剤、硫酸アルミニウム、塩化アルミニウム、ポリ塩化アルミニウム等のアルミニウム系凝集剤等が挙げられる。
【００３９】
これらの無機凝集剤は、１種を単独で用いても良く、２種以上を混合して用いても良い。
【００４０】
本発明では、特に前述の鉄系凝集剤を用いた場合の着色の問題を解決し得ることから、無機凝集剤として鉄系凝集剤を用いる場合に、本発明の効果が有効に発揮されるが、何ら鉄系凝集剤に限定されるものではない。
【００４１】
これらの無機凝集剤の添加量は、無機凝集剤の種類や原水の性状により異なり、一概には言えないが、通常原水に対して５０〜５００ｍｇ／Ｌ程度である。
【００４２】
なお、無機凝集剤を添加する凝集処理においては、当該無機凝集剤に好適なｐＨ条件に調整することが好ましい。その場合、ｐＨ調整のために水酸化ナトリウム等のアルカリや塩酸等の酸を用いることができる。
【００４３】
このような無機凝集剤による凝集処理においては、凝集反応槽を７０〜２００ｒｐｍ程度に急速攪拌することが好ましい。
【００４４】
＜有機高分子凝集剤＞
無機凝集剤による凝集処理で形成された凝集フロックの粗大化に用いる有機高分子凝集剤としては、特に限定はなく、排水の凝集処理で通常使用される有機高分子凝集剤であれば採用可能である。例えば、アニオン系であれば、ポリ（メタ）アクリル酸、（メタ）アクリル酸と（メタ）アクリルアミドの共重合物、及びそれらのアルカリ金属塩等が挙げられる。ノニオン系であれば、ポリ（メタ）アクリルアミド等が挙げられる。カチオン系であれば、ジメチルアミノエチル（メタ）アクリレートもしくはその４級アンモニウム塩やジメチルアミノプロピル（メタ）アクリルアミドもしくはその４級アンモニウム塩等のカチオン性モノマーからなるホモポリマー、あるいはそれらカチオン性モノマーと共重合可能なノニオン性モノマーとの共重合体等が挙げられる。これらの有機高分子凝集剤は、１種を単独で用いても良く、２種以上を混合して用いても良い。
【００４５】
有機高分子凝集剤の添加量は、有機高分子凝集剤の種類や原水の性状に応じて適宜決定されるが、通常、原水に対して０．５〜５ｍｇ／Ｌ程度である。
【００４６】
このような有機高分子凝集剤による凝集処理においては、凝集反応槽を３０〜１００ｒｐｍ程度に緩速攪拌することが好ましい。
【００４７】
＜凝集沈殿処理＞
図１において、第１凝集反応槽１で無機凝集剤による凝集処理がなされ、更に第２凝集反応槽２で有機高分子凝集剤による凝集処理がなされた凝集処理液を固液分離する凝集沈殿槽３としては特に制限はなく、円形のものや横流式のもの等任意のものを用いることができる。
【００４８】
凝集沈殿槽３で得られた上澄水は処理水として取り出され、必要に応じて残留する亜塩素酸（塩）の還元処理及び／又はｐＨ調整がなされた後、更なる高度処理に供されて回収、再利用されるか、放流される。
【００４９】
ここで、残留亜塩素酸（塩）の還元に用いられる還元剤としては、亜硫酸ナトリウム、亜硫酸水素ナトリウム、チオ硫酸ナトリウム等を用いることができる。
【００５０】
なお、図１は本発明の実施の形態の一例を示すものであって、本発明はその要旨を超えない限り、何ら図示のものに限定されるものではない。
【００５１】
例えば、凝集反応槽は１槽のみとし、有機高分子凝集剤を凝集反応槽から凝集沈殿槽に凝集処理液を移送する配管に添加するようにしても良い。また、第１凝集反応槽の入口側で無機凝集剤を添加して、第１凝集反応槽においてはｐＨ調整剤を添加し、第１凝集反応槽をｐＨ調整槽として機能させることもできる。また、無機凝集剤と有機高分子凝集剤との併用に限らず、無機凝集剤又は有機高分子凝集剤のみを用いても良いが、凝集処理効果の面では、両者を併用することが好ましい。
【００５２】
本発明においては、このような処理において、亜塩素酸（塩）の添加で凝集沈殿槽における汚泥の浮上や処理水の着色を防止して、例えば、ＳＳ２０ｍｇ／Ｌ以下、ＣＯＤ５００ｍｇ／Ｌ以下、ＢＯＤ１００ｍｇ／Ｌ以下の処理水を得ることが好ましい。
【実施例】
【００５３】
以下に実施例及び比較例を挙げて本発明をより具体的に説明する。
【００５４】
［実施例１］
下記水質の自動車部品工場の塗装排水（硝酸ニッケル含有）を原水として図１に示す凝集沈殿処理装置により凝集沈殿処理を行った。
【００５５】
＜原水水質＞
ｐＨ：４．０
ＳＳ：３０ｍｇ／Ｌ
ＣＯＤ：８８０ｍｇ／Ｌ
ＢＯＤ：１５０ｍｇ／Ｌ
硝酸イオン：１００ｍｇ／Ｌ
亜硝酸イオン：２０ｍｇ／Ｌ
Ｎｉイオン：５０ｍｇ／Ｌ
【００５６】
第１凝集反応槽１では、鉄系無機凝集剤として塩化第二鉄の３８重量％水溶液を３００ｍｇ／Ｌ添加した原水に、ｐＨ調整剤として水酸化ナトリウムを添加してｐＨ１１に調整して１００ｒｐｍで急速攪拌した。第２凝集反応槽２では、第１凝集反応槽１の流出液にアニオン系有機高分子凝集剤としてクリフロックＰＡ３３１（栗田工業（株）製）を２ｍｇ／Ｌ添加して６０ｒｐｍで緩速攪拌した。第２凝集反応槽２の流出液は凝集沈殿槽３で凝集沈殿処理した。このような凝集沈殿処理において、亜塩素酸ナトリウム（２５重量％水溶液）を、第１凝集反応槽１に亜塩素酸ナトリウム添加量として１２５ｍｇ／Ｌ添加した。このとき、第１凝集反応槽１の流出液中の亜塩素酸ナトリウム濃度は２０ｍｇ／Ｌ、第２凝集反応槽２の流出液中の亜塩素酸ナトリウム濃度は１５ｍｇ／Ｌ、凝集沈殿槽３の流出液の亜塩素酸ナトリウム濃度は８ｍｇ／Ｌであった。
【００５７】
凝集沈殿槽３の上澄水は、塩酸を添加してｐＨ７に中和すると共に、還元剤として亜硫酸ナトリウムを添加して残留亜塩素酸ナトリウムを分解して系外へ排出した。得られた処理水のＣＯＤは３００〜４００ｍｇ／Ｌ、ＢＯＤは１２０〜１５０ｍｇ／Ｌ、ＳＳは２０ｍｇ／Ｌ以下であった。
【００５８】
この凝集沈殿処理において、凝集沈殿槽３内に排水（第２凝集反応槽２の流出液）が流入してから凝集フロックの浮上が観察されるまでの時間（フロック浮上時間）を調べ、また、凝集フロックの外観を観察し、結果を表１に示した。
【００５９】
［比較例１］
実施例１において、亜塩素酸ナトリウムを添加しないこと以外は同様にして凝集沈殿処理を行い、フロックの浮上時間とフロックの外観の観察結果を表１に示した。この比較例では、処理開始時の処理水のＳＳは２０ｍｇ／Ｌ程度であったが、処理水ＳＳは経時により上昇し、最終的に１００ｍｇ／Ｌ以上となった。
【００６０】
［比較例２］
実施例１において、亜塩素酸ナトリウムの代りに次亜塩素酸ナトリウム（１２重量％水溶液）を次亜塩素酸ナトリウム添加量として２４０ｍｇ／Ｌ添加したこと以外は同様にして凝集沈殿処理を行い、フロックの浮上時間とフロックの外観の観察結果を表１に示した。この比較例でも、処理開始時の処理水ＳＳは２０ｍｇ／Ｌ程度であったが、処理水ＳＳは経時により上昇し、最終的に１００ｍｇ／Ｌ以上となった。
【００６１】
【表１】
2010162493.tif 000003
【００６２】
表１に示すように、無薬注の比較例１では、排水流入後２時間でフロックが浮上して処理水へのＳＳリークが激しくなり、処理水のＳＳは１００ｍｇ／Ｌ以上となった。
【００６３】
次亜塩素酸ナトリウムを添加した比較例２でもこの現象を十分に改善することはできなかったが、亜塩素酸ナトリウムを添加した実施例１では、１０時間の実験期間中フロックの浮上は全く見られず、処理水のＳＳは安定して２０ｍｇ／Ｌ以下を維持した。
【００６４】
［実施例２］
下記水質の自動車部品工場の塗装排水と電着排水の混合排水（リン酸ニッケル含有）を原水として図１に示す凝集沈殿処理装置により凝集沈殿処理を行った。
【００６５】
＜原水水質＞
ｐＨ：６．５
ＳＳ：２５０ｍｇ／Ｌ
ＣＯＤ：１５０ｍｇ／Ｌ
ＢＯＤ：８０ｍｇ／Ｌ
Ｔ−Ｐ：２０ｍｇ／Ｌ
【００６６】
第１凝集反応槽１では、鉄系無機凝集剤としてポリ硫酸第二鉄を３５００ｍｇ／Ｌ添加すると共に、ｐＨ調整剤として水酸化ナトリウムを添加してｐＨ７に調整して１５０ｒｐｍで急速攪拌した。第２凝集反応槽２では、第凝集反応槽１の流出液にアニオン系有機高分子凝集剤としてクリフロックＰＡ３３１（栗田工業（株）製）を２ｍｇ／Ｌ添加して６０ｒｐｍで緩速攪拌した。第２凝集反応槽２の流出液は凝集沈殿槽３で凝集沈殿処理した。このような凝集沈殿処理において、亜塩素酸ナトリウム（２５重量％水溶液）を、第１凝集反応槽１に亜塩素酸ナトリウム添加量として５０ｍｇ／Ｌ添加した。このとき、第１凝集反応槽１の流出液中の亜塩素酸ナトリウム濃度は１０ｍｇ／Ｌ、第２凝集反応槽２の流出液中の亜塩素酸ナトリウム濃度は５ｍｇ／Ｌ、凝集沈殿槽３の流出液の亜塩素酸ナトリウム濃度は２ｍｇ／Ｌであった。
【００６７】
凝集沈殿槽３の上澄水は、還元剤として亜硫酸ナトリウムを添加して残留亜塩素酸ナトリウムを分解して系外へ排出した。
【００６８】
この凝集沈殿処理において、処理開始直後の処理水（凝集沈殿槽の上澄水）の濁度と、一旦処理を停止し、４８時間静置した後、処理を再開したときの処理水の濁度と外観を調べ、結果を表２に示した。
【００６９】
この実施例では、処理開始時においても、処理停止後の処理再開時においても、得られた処理水のＣＯＤは５０〜６０ｍｇ／Ｌ、ＢＯＤは４０〜６０ｍｇ／Ｌ、ＳＳは２０ｍｇ／Ｌ以下であった。
【００７０】
［比較例３］
実施例２において、亜塩素酸ナトリウムを添加しないこと以外は同様にして凝集沈殿処理を行い、処理水の濁度と外観の観察結果を表２に示した。
【００７１】
［比較例４］
実施例２において、亜塩素酸ナトリウムの代りに次亜塩素酸ナトリウム（１２重量％水溶液）を次亜塩素酸ナトリウム添加量として６０ｍｇ／Ｌ添加したこと以外は同様にして凝集沈殿処理を行い、処理水の濁度と外観の観察結果を表２に示した。
【００７２】
【表２】
2010162493.tif 000004
【００７３】
表２に示すように、無薬注の比較例２では静置後の処理水の水質が悪化した。次亜塩素酸ナトリウムを添加した比較例４でもこの現象を十分に改善することはできなかったが、亜塩素酸ナトリウムを添加した実施例２では、処理水の清澄性が維持された。
【符号の説明】
【００７４】
１  第１凝集反応槽
２  第２凝集反応槽
３  凝集沈殿槽
【図１】
2010162493.tif 000005